(57)【要約】【課題】ユーザの視聴状態に応じて効率的に自動録画を行う録画装置を提供すること。【解決手段】携帯端末装置２と連携して放送番組を録画制御可能なテレビ録画装置１であって、放送番組を視聴するユーザが携帯する携帯端末装置と通信する通信部１０６と、携帯端末装置２からユーザの視聴状態に関する情報を取得し、録画部１０４の録画動作を制御する制御部（ＣＰＵ１０１）と、を備える。ユーザの視聴状態の情報には、ユーザによる携帯端末装置の操作に関する情報を含む。制御部は、同一の放送番組を所定時間表示している間に操作に関する情報を取得しなかった場合は、録画部に対し当該放送番組の録画を開始させ、該録画中に操作に関する情報を取得した場合は、録画部に対し放送番組の録画を中止させる。【選択図】図４
2018022983.tif 000002
【特許請求の範囲】
【請求項１】
放送番組を受信して表示するとともに携帯端末装置と連携して録画制御可能な録画装置において、
受信した放送番組を表示する表示部と、
前記表示部にて表示している放送番組の視聴時間を測定する計時部と、
前記受信した放送番組を録画する録画部と、
前記放送番組を視聴するユーザが携帯する前記携帯端末装置と通信する通信部と、
前記通信部を介して前記携帯端末装置から前記ユーザの視聴状態に関する情報を取得し、前記録画部の録画動作を制御する制御部と、を備え、
前記制御部は、前記ユーザの視聴状態に関する情報として、前記ユーザによる前記携帯端末装置の操作に関する情報を取得し、
更に前記制御部は、同一の前記放送番組を所定時間表示している間に前記操作に関する情報を取得しなかった場合は、前記録画部に対し当該放送番組の録画を開始させ、該録画中に前記操作に関する情報を取得した場合は、前記録画部に対し前記放送番組の録画を中止させることを特徴とする録画装置。
【請求項２】
請求項１に記載の録画装置において、
前記ユーザによる前記携帯端末装置の操作が、視聴中の放送番組の内容に関連する操作である場合には、前記制御部は前記録画部に対し、前記放送番組の録画を開始または継続させることを特徴とする録画装置。
【請求項３】
請求項２に記載の録画装置において、
前記ユーザによる前記携帯端末装置の操作が、前記視聴中の放送番組の内容に関連する操作であって、前記放送番組の録画を開始させる場合には、前記制御部は前記録画部に対し、前記放送番組の録画を所定時間遡って開始させることを特徴とする録画装置。
【請求項４】
放送番組を受信して表示するとともに携帯端末装置と連携して録画制御可能な録画装置において、
受信した放送番組を表示する表示部と、
前記受信した放送番組を録画する録画部と、
前記放送番組を視聴するユーザが携帯する前記携帯端末装置と通信する通信部と、
前記通信部を介して前記携帯端末装置から前記ユーザの視聴状態に関する情報を取得し、前記録画部の録画動作を制御する制御部と、を備え、
前記制御部は、前記ユーザの視聴状態に関する情報として、前記携帯端末装置により前記ユーザの脈拍の情報を取得し、取得した脈拍が平常より増加している場合、または脈拍が不規則に増減している場合は、前記制御部は前記録画部に対し、前記放送番組の録画を開始させることを特徴とする録画装置。
【請求項５】
請求項４に記載の録画装置において、
前記携帯端末装置により取得した前記ユーザの脈拍が低く安定しており、かつ前記携帯端末装置により前記ユーザの動きが検出されない場合は、前記制御部は前記録画部に対し、前記放送番組の録画を所定時間遡って開始させることを特徴とする録画装置。
【請求項６】
請求項４に記載の録画装置において、
前記携帯端末装置により取得した前記ユーザの脈拍が低く安定しており、かつ前記携帯端末装置により前記ユーザの動きが検出された場合は、前記制御部は前記録画部に対し、前記放送番組の録画を中止させることを特徴とする録画装置。
【請求項７】
請求項４に記載の録画装置において、
前記表示部にて表示している放送番組の視聴時間を測定する計時部を備え、
同一の前記放送番組を所定時間表示したとき、前記制御部は前記録画部に対し、前記放送番組の録画を開始させることを特徴とする録画装置。
【請求項８】
放送番組を受信して録画する録画装置と接続し、録画を制御するために用いる情報を送る携帯端末装置であって、
前記放送番組を視聴するユーザの視聴状態を検出するセンサと、
前記センサで検出したユーザの視聴状態に関する情報を前記録画装置へ送信する通信部と、を備え、
前記ユーザの視聴状態に関する情報として、当該携帯端末装置に対するユーザの操作の有無と操作内容、もしくは前記ユーザの脈拍と当該携帯端末装置の動きの有無に関する情報を送信することを特徴とする携帯端末装置。
【請求項９】
携帯端末装置と連携した録画制御方法であって、
受信した放送番組を表示するステップと、
表示している放送番組の視聴時間を測定するステップと、
前記受信した放送番組を録画するステップと、
前記放送番組を視聴するユーザが携帯する前記携帯端末装置から前記ユーザの視聴状態に関する情報を取得するステップと、
取得した前記ユーザの視聴状態の情報を用いて録画動作を制御するステップと、を備え、
前記ユーザの視聴状態に関する情報として、前記ユーザによる前記携帯端末装置の操作に関する情報を取得し、
同一の前記放送番組を所定時間表示している間に前記操作に関する情報を取得しなかった場合は、当該放送番組の録画を開始させ、
該録画中に前記操作に関する情報を取得した場合は、前記放送番組の録画を中止させることを特徴とする録画制御方法。
【請求項１０】
携帯端末装置と連携した録画制御方法であって、
受信した放送番組を表示するステップと、
前記受信した放送番組を録画するステップと、
前記放送番組を視聴するユーザが携帯する前記携帯端末装置から前記ユーザの視聴状態に関する情報を取得するステップと、
取得した前記ユーザの視聴状態の情報を用いて録画動作を制御するステップと、を備え、
前記ユーザの視聴状態に関する情報として前記ユーザの脈拍の情報を取得し、取得した脈拍が平常より増加している場合、または脈拍が不規則に増減している場合は、前記放送番組の録画を開始させることを特徴とする録画制御方法。
【発明の詳細な説明】
【技術分野】
【０００１】
本発明は、放送番組の自動録画技術に関する。
【背景技術】
【０００２】
録画装置の自動録画機能に関し、ユーザの行動に合わせて自動録画を行うための様々な方法が提案されている。例えば特許文献１には、視聴者の動きと体温を検出し、視聴者の不在、居眠りが検知された場合に録画を開始することが記載されている。また特許文献２には、視聴者の視線、表情、体の動きから注目度を算出し、注目度が高くなった時点で録画を開始することが記載されている。
【先行技術文献】
【特許文献】
【０００３】
【特許文献１】特開２００６−０３９２９４号公報
【特許文献２】特開２００９−２３２１６６号公報
【発明の概要】
【発明が解決しようとする課題】
【０００４】
特許文献１に記載される技術によれば、視聴者が居眠りをしたり、席をはずしたりした場合に、自動的に番組の録画を行うことができるため、番組を見逃すことがない、と述べられている。また特許文献２に記載される技術によれば、ユーザの嗜好に応じたシーンのみを選択的に放送番組を録画することでき録画装置の記憶領域を効率的な利用することができる、と述べられている。
【０００５】
しかしながら、いずれの方法においても、ユーザの在／不在や視聴状態を検出するために新たなセンサを設ける必要がある。特許文献１では、動き監視用カメラ及びサーモグラフィ用カメラなどの視聴者監視装置が、特許文献２では、視聴者を撮影するカメラなどのセンシング装置が新たに必要とされる。一般にこれらのセンサは高価であるとともに、テレビ録画装置の構成が複雑化するという、実用的な課題がある。
【０００６】
本発明は、上記課題に鑑みて為されたものであり、ユーザの視聴状態に応じて効率的に自動録画を行う技術を提供するものである。
【課題を解決するための手段】
【０００７】
本発明は、放送番組を受信して表示するとともに携帯端末装置と連携して録画制御可能な録画装置であって、受信した放送番組を表示する表示部と、受信した放送番組を録画する録画部と、放送番組を視聴するユーザが携帯する携帯端末装置と通信する通信部と、通信部を介して携帯端末装置からユーザの視聴状態に関する情報を取得し、録画部の録画動作を制御する制御部と、を備える。制御部は、ユーザの視聴状態に関する情報として、ユーザによる携帯端末装置の操作に関する情報を取得し、更に制御部は、同一の放送番組を所定時間表示している間に操作に関する情報を取得しなかった場合は、録画部に対し当該放送番組の録画を開始させ、該録画中に操作に関する情報を取得した場合は、録画部に対し放送番組の録画を中止させる。
【０００８】
また制御部は、ユーザの視聴状態に関する情報として、携帯端末装置によりユーザの脈拍を取得し、取得した脈拍が平常より増加している場合、または脈拍が不規則に増減している場合は、録画部に対し放送番組の録画を開始させる。
【発明の効果】
【０００９】
本発明によれば、ユーザの視聴状態に応じて効率的に自動録画を行うことができる。
【図面の簡単な説明】
【００１０】
【図１】本発明を適用する録画システムの全体構成を示す図。
【図２】テレビ録画装置の内部構成を示すブロック図。
【図３】携帯端末装置の内部構成を示すブロック図。
【図４】スマートフォンと連携した録画動作の例を示す図（実施例１）。
【図５】図４の録画制御を示すフローチャート。
【図６】スマートウォッチと連携した録画動作を示すフローチャート（実施例２）。
【発明を実施するための形態】
【００１１】
図１は、本発明を適用する録画システムの全体構成を示す図である。録画システムは、録画機能付きテレビジョン装置（以下、テレビ録画装置と呼ぶ）１と携帯端末装置２を備えて構成される。テレビ録画装置１は、放送局３から放送されたテレビ番組を放送波３０あるいはインターネット４を介して受信して表示する。ユーザ１０は、リモコン５を用いて視聴したいチャンネルや番組を選択して視聴し、かつ番組の録画または録画予約する。
【００１２】
ユーザ１０は、さらに携帯端末装置２を携帯しており、テレビ番組を視聴しながら携帯端末装置２を使用することができる。本録画システムでは、テレビ録画装置１と携帯端末装置２とを無線接続し、携帯端末装置２の使用状態などの情報をテレビ録画装置１に伝送し、録画動作を自動的に制御するものである。携帯端末装置２としては、スマートフォン２ａやスマートウォッチ２ｂなどが挙げられる。スマートフォン２ａは、番組関連の情報を取得する場合に利用できるが、番組に関連のない情報を取得する場合もある。スマートウォッチ２ｂは、内蔵する脈拍センサによりユーザの脈拍を測定することができる。これらの情報により、テレビ録画装置１はユーザ１０の視聴番組に対する注目度を判定し、視聴番組の録画の開始／中止を制御する。
【００１３】
本実施例の録画システムでは、録画制御のために携帯端末装置２と連携した構成としている。テレビ録画装置１には、ユーザの注目度を検出する特別のセンサが不要であり、また携帯端末装置２として、スマートフォン２ａやスマートウォッチ２ｂなどのユーザが通常携帯しているデバイスを流用することができるので、構成が簡単でコストアップを抑えたシステムが実現できる。
【００１４】
図２は、テレビ録画装置の内部構成を示すブロック図である。テレビ録画装置１は、システムバス１００、ＣＰＵ（主制御部）１０１、ＲＯＭ（Read Only Memory）１０２、ＲＡＭ（Random Access Memory）１０３、録画部（ＨＤＤ）１０４、外部インターフェース１０５、通信部１０６、操作部１０７、放送受信部１０８、映像処理部１０９、音声処理部１１０、計時部１１１を備えて構成される。
【００１５】
システムバス１００は、ＣＰＵ１０１とテレビ録画装置１内の各部との間でデータ送受信を行うためのデータ通信路である。ＣＰＵ１０１は、所定のプログラムに従ってテレビ録画装置１全体を制御するマイクロプロセッサユニットである。
【００１６】
ＲＯＭ１０２は、オペレーティングシステムなどの基本動作プログラムやその他のアプリケーションプログラムが格納されたメモリであり、例えばＥＥＰＲＯＭやフラッシュＲＯＭのような書き換え可能なＲＯＭが用いられる。ＲＯＭ１０２に格納されたプログラムを更新することにより、基本動作プログラムやその他のアプリケーションプログラムのバージョンアップや機能拡張が可能であるものとする。ここには、携帯端末装置２からの情報を解析して録画制御するプログラムを格納している。
【００１７】
ＲＡＭ１０３は、基本動作プログラムやその他のアプリケーションプログラム実行時のワークエリアとなる。ここには、テレビ放送から受信したＥＰＧ番組表や、ユーザが登録した録画予約表も記憶されている。
【００１８】
録画部（ＨＤＤ）１０４は、受信した放送番組の映像・音声データの録画・再生を行う。その際、リングバッファ方式で全番組を常時録画し、ユーザが必要な箇所を再生するタイムシフト録画機能を備えるものであってもよい。録画部１０４は、ＨＤＤの代わりに、フラッシュＲＯＭやＳＳＤ（Solid State Drive）等のデバイスでもよい。なお、この録画部１０４は、外部インターフェース１０５を介して外部に接続した記録装置であってもよい。
【００１９】
外部インターフェース１０５は、テレビ録画装置１の機能を拡張するためのインターフェース群である。映像入力インターフェース１０５ａ及び音声入力インターフェース１０５ｂは、外部映像／音声出力機器からの映像信号／音声信号の入力を行う。ＵＳＢインターフェース１０５ｃは、キーボード等のＵＳＢ機器若しくはメモリカード類の接続等を行う。テレビ録画装置１が外部に接続したＨＤＤ装置等にデジタル放送番組の録画を行う場合は、ＵＳＢインターフェース１０５ｃにＨＤＤ装置等を接続すればよい。
【００２０】
通信部１０６は、インターネット４等の外部ネットワークと情報の送受信を行うための無線ＬＡＮ通信部１０６ａと、Ｂｌｕｅｔｏｏｔｈ（登録商標）等の近距離での無線通信により情報の送受信を行うための近距離無線通信部１０６ｂで構成される。本実施例では、近距離無線通信部１０６ｂを介して外部の携帯端末装置２（スマートフォン２ａやスマートウォッチ２ｂ）と通信を行う。
【００２１】
操作部１０７は、テレビ録画装置１に対する操作指示（番組選択や録画指示）の入力を行う指示入力部であり、操作ボタン１０７ａ及びリモコン５からの赤外線信号を受信するリモコン受信部１０７ｂで構成される。
【００２２】
放送受信部１０８は、チューナ１０８ａ、分離部１０８ｂ、エンコーダ／デコーダ１０８ｃで構成される。チューナ１０８ａは、アンテナが受信した放送波からユーザが選局したチャンネルの信号を抽出し、ＴＳ（Transport Stream）信号を復調する。分離部１０８ｂは、前記ＴＳ信号をそれぞれパケット化された映像データと音声データと付随情報データとに分離する。エンコーダ／デコーダ１０８ｃは、分離部１０８ｂから出力された映像データ、音声データ、付随情報データをデコードし、映像信号は映像処理部１０９へ、音声信号は音声処理部１１０に出力する。付随情報データからは、各番組の番組名、ジャンル、放映開始／終了日時、等の番組情報を含むＳＩ（Service Information）情報等を取得する。
【００２３】
映像処理部１０９は、映像データ処理部１０９ａとディスプレイ１０９ｂで構成される。映像データ処理部１０９ａは、エンコーダ／デコーダ１０８ｃや映像入力インターフェース１０５ａから入力した映像データ、通信部１０６により受信した映像データ、或いは録画部１０４から再生された映像データ等に対して、必要に応じてフォーマット変換、メニューやその他のＯＳＤ（On Screen Display）データの重畳処理等を行う。ディスプレイ１０９ｂは、例えば液晶パネルのような表示デバイスであり、映像データ処理部１０９ａで処理した映像を表示する。
【００２４】
音声処理部１１０は、音声データ処理部１１０ａ、スピーカ１１０ｂで構成される。音声データ処理部１１０ａは、エンコーダ／デコーダ１０８ｃや音声入力インターフェース１０５ｂから入力した音声データ、通信部１０６により受信した音声データ、或いは録画部１０４から再生された音声データ等に対して、必要に応じてフォーマット変換等の処理を行う。スピーカ１１０ｂは、音声データ処理部１１０ａで処理した音声を出力する。
【００２５】
計時部１１１は、現在の日時・時刻及び曜日の情報を出力するとともに、ＲＴＣ（Real Time Clock）回路などを用いて経過時間の計測を行う。
【００２６】
図３は、携帯端末装置の内部構成を示すブロック図である。ここでは、スマートフォンの場合を例に説明する。携帯端末装置２は、スマートフォンやスマートウォッチの他、ＰＤＡ（Personal Digital Assistant）やタブレット型のＰＣ（Personal Computer）等、またはその他の携帯用デジタル機器であってもよい。
【００２７】
携帯端末装置２は、システムバス２００、ＣＰＵ（主制御部）２０１、ＲＯＭ２０２、ＲＡＭ２０３、ストレージ部２０４、操作部２０５、拡張インターフェース部２０６、センサ部２０７、映像処理部２０８、音声処理部２０９、通信部２１０、電源部２１１を備えて構成される。
【００２８】
システムバス２００は、ＣＰＵ２０１と携帯端末装置２内の各部との間でデータ送受信を行うためのデータ通信路である。ＣＰＵ２０１は、所定のプログラムに従って携帯端末装置２の全体を制御するマイクロプロセッサユニットである。
【００２９】
ＲＯＭ２０２は、オペレーティングシステムなどの基本動作プログラムやその他のアプリケーションプログラムが格納されたメモリであり、例えばＥＥＰＲＯＭやフラッシュＲＯＭのような書き換え可能なＲＯＭが用いられる。ＲＯＭ２０２に格納されたプログラムを更新することにより、基本動作プログラムやその他のアプリケーションプログラムのバージョンアップや機能拡張が可能であるものとする。ＲＡＭ２０３は、基本動作プログラムやその他のアプリケーションプログラム実行時のワークエリアとなる。
【００３０】
ストレージ部２０４は、メールやＷｅｂブラウザ、地図等の携帯端末装置２で各種機能を実現するためのアプリケーションプログラムや、携帯端末装置２の種々の設定情報、アプリケーションごとの各種設定情報・データを記憶する領域を有している。ストレージ部２０４は、携帯端末装置２に電源が供給されていない状態であっても記憶している情報を保持する必要がある。したがって、フラッシュＲＯＭやＳＳＤ、ＨＤＤ等のデバイスが用いられる。
【００３１】
操作部２０５は、携帯端末装置２に対する操作指示の入力を行う指示入力部であり、ディスプレイ２０８ａに重ねて配置したタッチパネル及びボタンスイッチを並べた操作キーで構成することができる。
【００３２】
拡張インターフェース部２０６は、携帯端末装置２の機能を拡張するためのインターフェース群である。例えば、ＵＳＢインターフェースはキーボードやその他のＵＳＢ機器の接続を行い、メモリインターフェースはメモリカードやその他のメモリ媒体を接続してデータの保存を行う。
【００３３】
センサ部２０７は、携帯端末装置２の状態を検出するためのセンサ群であり、本例では、ＧＰＳ（Global Positioning System）受信部２０７ａ、加速度センサ２０７ｂ、ジャイロセンサ２０７ｃ、地磁気センサ２０７ｄ、照度センサ２０７ｅ、近接センサ２０７ｆを備えて構成される。これらのセンサ群により、携帯端末装置２の位置、動き、傾き、方角、及び周囲の明るさ、周囲物の近接状況等を検出する。その他のセンサ２０７ｇとして、スマートウォッチの場合は、脈拍センサを備え、ユーザの脈拍数を測定する。
【００３４】
映像処理部２０８は、ディスプレイ２０８ａ、映像データ処理部２０８ｂ、カメラ２０８ｃで構成される。ディスプレイ２０８ａは、例えば液晶パネル等の表示デバイスであり、映像データ処理部２０８ｂで処理した映像を表示する。映像データ処理部２０８ｂは、通信部２１０で受信した映像やカメラ２０８ｃで撮影した映像に対し、必要に応じてフォーマット変換、メニューやその他のＯＳＤデータの重畳処理等を行う。カメラ２０８ｃは、ＣＣＤやＣＭＯＳセンサ等の電子デバイスを用いて、周囲の被写体を撮像する。
【００３５】
音声処理部２０９は、スピーカ２０９ａ、音声データ処理部２０９ｂ、マイク２０９ｃで構成される。スピーカ２０９ａは、音声データ処理部２０９ｂで処理した音声を出力し、マイク２０９ｃはユーザの声などを集音する。
【００３６】
通信部２１０は、インターネット等の外部ネットワークと情報の送受信を行うための無線ＬＡＮ通信部２１０ａ、移動体電話通信網の基地局６との無線通信により、電話通信（通話）及びデータの送受信を行う電話網通信部２１０ｂ、Ｂｌｕｅｔｏｏｔｈ（登録商標）等の近距離での無線通信により情報の送受信を行うための近距離無線通信部２１０ｃで構成される。本実施例では、近距離無線通信部２１０ｃを介して外部のテレビ録画装置１と通信を行う。
【００３７】
電源部２１１は、電源制御部、受電部、バッテリーを有し、携帯端末装置２への電力供給を行う。
【００３８】
次に、テレビ録画装置１が携帯端末装置２と連携して、どのように録画動作を行うかを実施例で説明する。ここでは、携帯端末装置２がスマートフォン２ａとスマートウォッチ２ｂの場合に分けて説明する。
【実施例１】
【００３９】
実施例１では、携帯端末装置２としてスマートフォン２ａを用いた場合について説明する。テレビ録画装置１はユーザが携帯しているスマートフォン２ａからの情報により、視聴番組に対しユーザが注目していることを次のように判定し、録画を開始する。逆に、ユーザが注目していないと判断した場合は、録画を中止する。
【００４０】
この場合の基本ルールは以下である。
（ａ）ユーザが同一の番組（ＣＨ）を継続して視聴している有効視聴時間Δｔが所定時間Δｔ１（例えば５分間）を超えたとき、ユーザがその番組を気に入っていると判断し、録画を開始する。
（ｂ）番組視聴中にユーザがスマートフォンの使用を始めたら、その番組に興味がないと判断し、録画を中止する。
（ｃ）ただし（ｂ）において、スマートフォンにより番組関連の情報を取得している場合は、その番組に興味があると判断し、録画を継続または再開する。この場合、番組視聴を見逃した可能性があるので、所定時間Δｔ２だけ遡って録画を再開してもよい（タイムシフト録画と呼ぶ）。
【００４１】
上記（ｃ）について具体例を述べる。テレビ番組で例えば「ルマン２４時間自動車レース」を見ているとする。そのときにスマートフォン２ａにより、放送局のサイトや、レースの公式サイト、さらに他のモータースポーツ、例えばＦ１のサイトにアクセスしたり、ルマン２４時間公式アプリを動作しているときは、番組関連情報の取得とする。このときスマートフォン２ａは、アクセスしているサイトやアプリ情報をテレビ録画装置１に送信し、テレビ録画装置１は「スマートフォンは使用されているが、番組に関連している」と判断して、録画を継続する。
【００４２】
図４は、スマートフォン２ａと連携した録画動作の例を示す図である。図４には、テレビ視聴期間、スマートフォン（以下、スマホと略す）の操作期間、録画動作の関係をタイムチャートで示している。録画動作としては、３通りのパターン（Ａ）〜（Ｃ）を説明する。ユーザのテレビ視聴チャンネルは、ＣＨ１（期間３０１）からＣＨ２（期間３０２）へ、再びＣＨ１（期間３０３）へ切り替えている。一方ユーザは、スマホに対して期間３１１、３１２、３１３のように断続して操作している。これらの期間では、ユーザは番組を視聴していないことになるが、このうち、期間３１３における操作は、ＣＨ１の番組関連情報の取得のためとする。
【００４３】
本実施例では、同一ＣＨを継続して視聴し、かつスマホの操作（ＣＨ１の番組関連情報の取得を除く）がなされていない期間を「有効視聴期間」と定義する。図４では、ＣＨ１の視聴期間３０３のうち、スマホ操作期間３１１，３１２を除いた期間３２１、３２２が有効視聴期間となる。有効視聴期間の長さを「有効視聴時間」とし、計時部１１１にて測定する。有効視聴時間の長さを所定の時間Δｔ１と比較し、複数のタイミング位置Ｐ１〜Ｐ７を定める。
【００４４】
録画動作の例として、３通りのパターン（Ａ）（Ｂ）（Ｃ）について説明する。（Ａ）は基本で、（Ｂ）（Ｃ）はその変形例である。
【００４５】
＜録画動作（Ａ）＞
（Ｐ２）：スマホの操作（３１１）を止めた後、ＣＨ１の有効視聴時間（３２１）が所定時間Δｔ１を超えたので、ＣＨ１の録画（３３１）を開始する。
（Ｐ３）：再びスマホの操作（３１２）を始めたので、録画（３３１）を中止する。このとき、録画部分を消去するようにしてもよい。
（Ｐ５）：スマホの操作（３１２）を止めた後、ＣＨ１の有効視聴時間（３２２）が所定時間Δｔ１を超えたので、ＣＨ１の録画（３３２）を再開する。
（Ｐ６−Ｐ７）：スマホの操作（３１３）がなされているが、操作内容がＣＨ１の番組関連情報の取得なので、録画（３３２）を継続する。
この方式によれば、有効視聴時間の長さに応じて録画動作を行うので、番組中何度も録画を再開することができる。
【００４６】
＜録画動作（Ｂ）＞
（Ｐ２−Ｐ３）：録画動作（Ａ）と同様に、ＣＨ１の録画（３３１）を開始／中止する。
（Ｐ５）：ＣＨ１の有効視聴時間（３２２）が所定時間Δｔ１を超えたが、この時点では録画を再開しない。つまり、録画中にスマホ操作（３１２）を行った場合は、その番組に興味がないと判断してその後の録画を再開しない。
（Ｐ７）：スマホ操作（３１３）はＣＨ１の番組関連情報の取得のためなので、その番組に興味があると判断し、ＣＨ１の録画（３３３）を再開する。
この方式によれば、一度ＣＨ１をお気に入りとして録画したこと（期間３３１）を記憶しているので、関連するスマホ操作を契機として録画を再開させることができる。
【００４７】
＜録画動作（Ｃ）＞
（Ｐ２−Ｐ３）：録画動作（Ｂ）と同様に、ＣＨ１の録画（３３１）を開始／中止する。また、（Ｐ５）では録画を再開しない。
（Ｐ７）：スマホ操作（３１３）はＣＨ１の番組関連情報の取得のためなので、録画動作（Ｂ）と同様にその番組に興味があると判断し、ＣＨ１の録画（３３４）を再開する。ただしこの場合は、（Ｐ７）の時点から所定時間Δｔ２だけ遡って録画を再開する（タイムシフト録画）。この時間Δｔ２は、リングバッファの記録容量に依存するが、これを最大限利用して録画することが望ましい。
この方式は、リングバッファ方式による全番組録画の場合に有効であり、所定時間遡って録画を開始することで、気に入った番組を見逃さずに視聴することができる。
【００４８】
図５は、図４の録画制御を示すフローチャートである。ここでは、図４の録画動作（Ａ）の場合について記載する。以下の処理は、テレビ録画装置１のＣＰＵ１０１により制御される。
【００４９】
Ｓ４０１では、計時部１１１にてユーザの有効視聴時間Δｔの測定を開始する。有効視聴時間Δｔとは、ユーザが同一ＣＨ（同一番組）を継続して視聴し、かつ、ユーザがスマホ操作を行っていない時間のことである。
【００５０】
Ｓ４０２では、ユーザが同一ＣＨ（同一番組）を継続して視聴しているか否かを判定する。これは、映像処理部１０９から同一ＣＨ（同一番組）を継続して出力しているかどうかで判定する。同一ＣＨを視聴していれば、Ｓ４０３へ進む。もし、前回の判定以後にＣＨ変更があった場合は、Ｓ４０５へ進む。
【００５１】
Ｓ４０３では、ユーザがスマホ操作を行っているか否かを判定する。ユーザのスマホ操作の有無については、通信部１０６（特に、近距離無線通信部１０６ｂ）を介して、携帯端末装置（スマートフォン２ａ）の動作状況を知ることができる。スマホ操作中であれば、Ｓ４０４へ進み、操作中でなければＳ４０６へ進む。
【００５２】
Ｓ４０４では、スマホ操作内容は現在視聴中の番組に関連するか否かを判定する。そのため、ＲＡＭ１０３に保存されている番組情報を参照しスマホの操作内容（検索キーワードなど）と比較する。キーワード等が一致または類似していれば関連すると判定する。関連していればＳ４０６へ進み、関連していなければＳ４０５へ進む。
Ｓ４０５では、有効視聴時間Δｔ＝０にリセットし、Ｓ４０８へ進む。
【００５３】
Ｓ４０６では、現在の有効視聴時間Δｔを読み出し、所定時間Δｔ１を超えているか否かを判定する。この所定時間Δｔ１はユーザが適宜設定することができ、例えば５分とする。有効視聴時間Δｔが所定時間Δｔ１を超えていれば、Ｓ４０７へ進み、所定時間Δｔ１を超えていなければ、Ｓ４０８へ進む。
【００５４】
Ｓ４０７では、録画部１０４に対し視聴ＣＨの録画開始を指示する。既に録画中であれば、録画を継続する。
Ｓ４０８では、録画部１０４に対し録画動作を中止させる。また、必要に応じ、録画した部分を消去させてもよい。
【００５５】
Ｓ４０９では、番組情報を参照し、視聴番組の終了時刻に達しているか否かを判定する。終了時刻に達していれば、Ｓ４１０へ進み視聴番組の録画動作を終了する。終了時刻に達していなければ、Ｓ４０２へ戻り、上記した一連の処理を繰り返す。
上記した処理ループを所定時間間隔（例えば１分間隔）で実行することで、図４の録画動作（Ａ）に示した録画制御を実現できる。
【００５６】
なお、図４の録画動作（Ｂ）については、同一番組の録画動作回数を記憶しておき、２回目以降の録画再開動作は番組関連のスマホ操作を行った時に実行するように変更すればよい。また、図４の録画動作（Ｃ）については、予め全番組をリングバッファ方式で録画しておき、番組関連のスマホ操作に伴う録画再開動作を行うとき、所定時間Δｔ２だけ遡ってタイムシフト録画を行うように変更すればよい。
【００５７】
ここで、スマホ操作が視聴番組に関連するか否かの判定（Ｓ４０４）については、メールやＳＮＳ（Social Network Service）のためにスマホ操作を行う場合もあるので、これを含め次の指針により判定するのが好ましい。
（１）外部からメールやＳＮＳなどの割り込みが来て対応する場合は、番組に飽きたからスマホを操作した訳ではないので、「番組関連あり」と判定する。この判定においては、メールやＳＮＳへの返信を含み、その内容が番組と無関係であるかどうかは検出せず、判定材料としない。さらに、この操作に付随して、番組と関係ない他のメールやＳＮＳへの書き込みの閲覧および返信を行っても、番組と無関係であるかどうかは検出せず、判定材料としない。
【００５８】
（２）自発的にメールやＳＮＳの書き込みを行う場合は、原則として「番組関連なし」と判定する。但し、メールやＳＮＳへの書き込み内容が番組関連であった場合は、「番組関連あり」と判定してもよい。
（３）自発的にメールやＳＮＳの書き込みを行う場合であっても、メールやＳＮＳの内容が、視聴番組に関連する場合（タイトル、出演俳優などの記載が一致する場合）には、番組を気に入っているのであり「番組関連あり」と判定する。
（４）自発的に番組関連のサイトを見るなどのスマホ操作を行う場合、「番組関連あり」と判定する。
【００５９】
実施例１によれば、スマートフォンを介して視聴番組に対するユーザの注目度を容易に判定し、効率的に自動録画を行うことができる。
【実施例２】
【００６０】
実施例２では、携帯端末装置２としてスマートウォッチ２ｂを用いた場合について説明する。テレビ録画装置１はユーザが手に装着しているスマートウォッチ２ｂからの情報により、視聴番組に対しユーザが注目していることを次のように判定し、録画を開始する。逆に、ユーザが注目していないと判断した場合は、録画を中止する。また、ユーザが視聴しながら寝ていると判定した場合は、時間を遡って録画を開始する。
【００６１】
この場合の基本ルールは以下である。
（ａ）スマートウォッチにより、番組視聴中のユーザの脈拍を測定し、脈拍が増加、あるいは不規則に増減する場合は、その番組を気に入っていると判断し、録画を開始する。
（ｂ）ユーザの脈拍が低く安定し、かつ加速度センサによりユーザの動きがないことを検出した場合、ユーザは寝ていると判断する。この場合、番組視聴を見逃した可能性があるので、所定時間遡って録画を開始する（タイムシフト録画）。
（ｃ）ユーザの脈拍が低く安定し、かつ加速度センサによりユーザが起きていると判断した場合、ユーザはその番組をあまり気に入っていないと判断し、録画を中止する。
次に、スマートウォッチ２ｂと連携した録画動作の例を説明する。
【００６２】
図６は、スマートウォッチと連携した録画動作を示すフローチャートである。以下の処理は、テレビ録画装置１のＣＰＵ１０１により制御される。
【００６３】
Ｓ５０１では、ユーザが装着しているスマートウォッチ２ｂにより、ユーザの脈拍Ｍを測定し取得する。これは、通信部１０６（特に、近距離無線通信部１０６ｂ）を介して、スマートウォッチ２ｂの脈拍センサ２０７ｇを動作させ、ユーザの脈拍Ｍを取得する。
【００６４】
Ｓ５０２では、取得した脈拍Ｍを平常時の脈拍Ｍ０と比較する。ここにユーザの平常時の脈拍Ｍ０は、スマートウォッチ２ｂから取得してもよいし、予めテレビ録画装置１のＲＡＭ１０３に記憶していてもよい。脈拍Ｍの判定結果は次の３通りに分かれる。
（１）脈拍Ｍが平常時脈拍Ｍ０よりも増加している場合（Ｍ＞Ｍ０）は、番組を見て興奮している、すなわちその番組を気に入っていると判断し、Ｓ５０４へ進む。
（２）脈拍Ｍが不規則に増減している場合は、番組を見て興奮している、すなわちその番組を気に入っていると判断し、Ｓ５０４へ進む。このとき、脈拍の上下パターンを番組のシーン切り替えや音声の強弱と比較して、相関があることを確認或いは判定すれば、より好適に或いは正確にその番組が気に入っているかどうかを判断することが可能となる。
（３）脈拍Ｍが低く安定している場合（Ｍ＝Ｍ０）は、ユーザがその番組をあまり気に入っていない、または寝ている、のいずれかであり、Ｓ５０３へ進む。
【００６５】
Ｓ５０３では、ユーザは寝ているかどうかを判定する。例えば、スマートウォッチ２ｂに付属の加速度センサ２０７ｂ等により、ユーザの手の動きを検出して判断することができる。あるいは、カメラなどの他のデバイスからの情報を合わせて総合して判断してしてもよい。判定の結果寝ている場合は、ユーザは番組視聴を見逃した可能性があるので、Ｓ５０５へ進む。寝ていない（起きている）場合は、その番組をあまり気に入っていないと判断し、Ｓ５０６へ進む。
【００６６】
Ｓ５０４では、録画部１０４に対し視聴ＣＨの録画開始を指示する。既に録画中であれば、録画を継続する。
Ｓ５０５では、録画部１０４に対し視聴ＣＨの録画開始を、録画中であれば録画継続を指示する。ただし録画開始の場合は、所定時間Δｔ２だけ遡ってタイムシフト録画を行わせる。
Ｓ５０６では、録画部１０４に対し録画動作を中止させる。また、必要に応じ、録画した部分を消去させてもよい。
【００６７】
Ｓ５０７では、番組情報を参照し、視聴番組の終了時刻に達しているか否かを判定する。終了時刻に達していれば、Ｓ５０８へ進み視聴番組の録画動作を終了する。終了時刻に達していなければ、Ｓ５０１へ戻り、上記した一連の処理を繰り返す。
上記した処理ループを所定時間間隔（例えば１分間隔）で実行することで、ユーザの脈拍に基づく注目度を反映した録画動作を実現できる。このフローでは同一ＣＨ（番組）の視聴時間は無関係としたが、実施例１と同様に有効視聴時間Δｔを考慮し、時間Δｔが所定時間Δｔ１を超えたとき、録画を開始するようにしてもよい。
【００６８】
実施例２によれば、スマートウォッチを介して視聴番組に対するユーザの注目度を容易に判定し、効率的に自動録画を行うことができる。また、ユーザが寝ていると判定した場合には、時間を遡って自動録画を行うので、番組視聴を見逃しても後で再生視聴することができる。
【符号の説明】
【００６９】
１…録画機能付きテレビジョン装置（テレビ録画装置）、
２…携帯端末装置、
２ａ…スマートフォン（スマホ）、
２ｂ…スマートウォッチ、
１０４…録画部（ＨＤＤ）、
１０６…通信部、
１０６ｂ…近距離無線通信部、
１０８…放送受信部、
１０９…映像処理部、
１１１…計時部、
２０７…センサ部、
２０７ｂ…加速度センサ、
２０７ｇ…その他のセンサ（脈拍センサ）、
２１０…通信部、
２１０ｃ…近距離無線通信部。
【図１】
2018022983.tif 000003
【図２】
2018022983.tif 000004
【図３】
2018022983.tif 000005
【図４】
2018022983.tif 000006
【図５】
2018022983.tif 000007
【図６】
2018022983.tif 000008